(57)【要約】      （修正有）【課題】魚釣りに使ううきの役目である、遠投、当り（微小魚信）の探知及び視認の確保の三要件が、互いに他の要件を妨げる事無く、確保され得る空中うきを提供する。【解決手段】空中うきは、硬質プラスチック製の球体で、シャフトの上端に固定されている可動視認標となるマーカーと、低重心で貫通孔を有する飛ばしうきと、細く、強い鋼線材製で飛ばしうきの貫通孔の中を上下に動くシャフトと、シャフト支持体で構成される。【選択図】図１
0003154810.tif 000002
【実用新案登録請求の範囲】
【請求項１】
マーカー、シャフト、飛ばしうき、シャフト支持体、で構成される空中うき。
【請求項２】
請求項２のシャフト支持体はエア・パックである空中うき。
【請求項３】
請求項３のシャフト支持体は押しバネである空中うき。
【請求項４】
請求項４のシャフト支持体は引きバネである空中うき。
【請求項５】
請求項５のシャフト支持体はピアノ線である空中うき。
【請求項６】
請求項６のシャフト支持体は糸ゴムである空中うき。
【考案の詳細な説明】
【技術分野】
【０００１】本考案は魚釣りに使う、うきに関するものである。
【背景技術】
【０００２】うき本来の役目は、遠投、当り（微小魚信）の探知及び視認の確保の三要件であるが、現在、市場に出ているうきは、この三要件を同時には満足していない。
【先行技術文献】
【特許文献】
【０００３】
【特許文献１】特開２００６−２３０４０５号公報
【特許文献２】特開２００５−４０１１５号公報
【非特許文献】
【０００４】
【非特許文献１】「釣研  釣研総合カタログ２００９」、株式会社釣研、２００９年、ｐ８〜ｐ３３
【非特許文献２】「ｋｉｚａｋｕｒａ  ａｌｌ  ｎｅｗ  ｓｔａｎｄａｒｄ」，ｋｉｚａｋｕｒａ，２００９年、１）特許文献１のうきは内側摺動部の浮力が少ない事と、２種の円筒の摩擦の為、頭頂部がほぼ水面上に有り、視認が容易でない。また、魚信に対しても、円筒部の滑り摩擦力は妨げとなる。全長も長く遠投には適していない。
２）特許文献２のうきは球体の回転摩擦が少ない事に着目し特異である。
遠投も可能である。しかし上頭部の指標を安定させる為バランス重りを設置した為、球体本来の特長である回転力を減少させ、ひいては、魚信を指標に伝える妨げとなる。球体の特長上、その安定はバランス重りに頼らざるを得ず、球頭頂部の指標は短く、魚信の探知、視認の容易さに問題がのこる。
３）非特許文献１、２は漁具メーカのカタログであるがうきの三要件を鼎立させたうきは見あたらない。
【考案の概要】
【考案が解決しようとする課題】
【０００５】うきの三要件が、互いに他の要件を妨げる事無く、遠投、微小魚信及び視認の確保が容易でシンプルな空中うきを提案する。
【課題を解決するための手段】
【０００６】本空中うきは、図１の如く、マーカー１、シャフト２、飛ばしうき３、及びシャフト支持体（エア・パック）４ａで構成されるうきシステムである。
【考案の効果】
【０００７】１）飛ばしうき３に付いては、低重心、適切な重量を有するうきを他の二要件に関係なく選択できる。近、中、遠投も可能である。
２）微小な当たりの感知は、大きな遠投浮きに関係なく小さな、エア・パック４ａが受け持つ。大きな飛ばしうきに比しより敏感な感知が可能となる。
又、微小なエア・パックの質量は、魚に違和感を与えない効果もある。
３）感知した当りはシャフト２を通しマーカー１に伝わる。
マーカーは、自己とシャフトの重量と、エア・パックの揚力の平衡点で空中に浮かんでいるので、魚の当たりは少ない力で、マーカーを一気に海面まで引き下げる。
元より、飛しうきとは無関係であるが、その視認性は、従来のうきに比し容易である。
【図面の簡単な説明】
【０００８】
【図１】シャフト支持体をエア・パックにした空中うきシステムの断面図（実施例１）。
【図２】シャフト支持体の押しバネを飛ばしうきの上部に設けた空中うきシステムの断面図（実施例２）。
【図３】シャフト支持体の引きバネを飛ばしうきの下部に設けた空中うきシステムの断面図（実施例３）。
【図４】シャフト支持体の形状記憶合金製線材を飛ばしうきの上部に設けた空中うきシステムの断面図（実施例４）。
【図５】シャフト支持体の形状記憶合金製線材を飛ばしうきの下部に設けた空中うきシステムの断面図（実施例５）。
【図６】シャフト支持体の糸ゴムを飛ばしうきの下部に設けた空中うきシステムの断面図（実施例６）。
【考案を実施するための形態】
【０００９】本空中うきシステムはマーカー、シャフト、飛ばしうき、及びシャフト支持体（エア・パック）で構成される。
マーカーはシャフトでシャフト支持体と直結されているので、シャフト支持体の揚力により、空中に浮かぶ可動視認標となっている。
マーカーは軽く、蛍光塗料を塗布した視認性の良いものを使用する。
シャフトは軽く、曲がり難いものを選ぶ。
飛ばしうきは低重心で適度な重量を有するもの。シャフトが貫通するので、
中通しうきが適切である。
シャフト支持体（エア・パック）は飛ばしうきに比し重量、体積ともに十分小さい物を選ぶ必要がある。尚、マーカーとシャフトを空中に浮かべる水中浮力（揚力）が要求される。
【実施例】
【００１０】（実施例１）
図１に於いて、マーカーは蛍光塗料を塗布した硬質プラスチック球をシャフト上端に固定使用。
シャフトは形状記憶合金製の０．６φ×７０ｍｍの線材を使用、
飛ばしうきは低重心の１５ｇ、３号、中通しうきを使用、
シャフト支持体（エア・パック）は４ｃｃのポリエチレン製のキャップ付き密閉容器をシャフト下端に固定使用した。
この容器は海水を注入する事により、可変かつ一定揚力を供給する事が可能である。これは風、波、ハリスに付ける重りに対し、自在に対応する事が可能である。
（実施例２）
以下、図２〜図６はシャフト支持体以外は図１と同様である。
図２に於いて、シャフト支持体に０．１６φ×３φ×７０ｍｍの押しバネを使用した。
バネの上端はマーカーに、下端は飛ばしうき上部に固定した。
（実施例３）
図３に於いて、シャフト支持体に０．１６φ×３φ×５０ｍｍの引きバネを使用した。
バネの上端は飛ばしうき下部に、下端はシャフトの下端に固定した。
（実施例４）
図４に於いて、シャフト支持体に形状記憶合金製０．３φのピアノ線を使用した。
ピアノ線の上端はマーカーに、下端は飛ばしうき上側部に固定した。
（実施例５）
図５に於いて、シャフト支持体に形状記憶合金製０．３φのピアノ線を使用した。
ピアノ線の上端は飛ばしうき下側部に下端はシャフト下端に固定した。
（実施例６）
図６に於いて、シャフト支持体に糸ゴムを使用した。
糸ゴム上端は飛ばしうき中側部に、下端はシャフト下端に固定した。
【産業上の利用可能性】
【００１１】  磯釣りは国民性に合った健全なレジャーである。
本空中うきの供給が多少なりとも磯釣り愛好家の釣果に寄与出来得れば、現在の磯釣り愛好家に留まらず、愛好グループの拡大、渡船業界の発展、釣り具（うき）業界の売上向上にも役立つ事を念願するものである。【００１２】  符号の説明。
１・・・・・マーカー
２・・・・・シャフト
３・・・・・飛ばしうき
0003154810.tif 000003
【図１】
0003154810.tif 000004
【図２】
0003154810.tif 000005
【図３】
0003154810.tif 000006
【図４】
0003154810.tif 000007
【図５】
0003154810.tif 000008
【図６】
0003154810.tif 000009
【手続補正書】
【提出日】平成21年7月25日(2009.7.25)
【手続補正１】
【補正対象書類名】実用新案登録請求の範囲
【補正対象項目名】全文
【補正方法】変更
【補正の内容】
【実用新案登録請求の範囲】
【請求項１】
硬質プラスチック製の球体で、シャフトの上端に固定されている可動視認標となるマーカーと低重心で貫通孔を有する飛ばしうきと細く、強い鋼線材製で飛ばしうきの貫通孔の中を上下に動くシャフトとシャフト支持体で構成される空中うき。
【請求項２】
シャフト支持体はシャフト下端に固定したエア・パックあることを特徴とする請求項１に記載の空中うき。
【請求項３】
シャフト支持体はマーカーと飛ばしうきの間に装着した押しバネであることを特徴とする請求項１に記載の空中うき。
【請求項４】
シャフト支持体はシャフト下端と飛ばしうき下部間に装着した引きバネであることを特徴とする請求項１に記載の空中うき。
【請求項５】
シャフト支持体はマーカーと飛ばしうき中部の間に装着したピアノ線であることを特徴とする請求項１に記載の空中うき。
【請求項６】
シャフト支持体はシャフト下端と飛ばしうき中部の間に装着したピアノ線であることを特徴とする請求項１に記載の空中き。
【請求項７】
シャフト支持体はシャフト下端と飛ばしうき中部の間に装着した糸ゴムである事を特徴とする請求項１に記載の空中うき。